(57)【特許請求の範囲】
【請求項１】
ガーゼ織物であって、
前記ガーゼ織物は、
表面層ガーゼと、
裏面層ガーゼと、
前記表面層ガーゼと前記裏面層ガーゼとの間に設けられた中間層ガーゼ
とを具備し、
前記表面層ガーゼは、無撚糸で構成され、
前記裏面層ガーゼは、無撚糸で構成され、
前記中間層ガーゼの少なくとも一層は、撚糸で構成されてなり、
前記表面層ガーゼと前記裏面層ガーゼとは、直接的、及び／又は間接的に、結ばれてなる
ことを特徴とするガーゼ織物。
【請求項２】
前記表面層ガーゼと前記裏面層ガーゼとは、前記中間層ガーゼの撚糸によって、結ばれてなる
ことを特徴とする請求項１のガーゼ織物。
【請求項３】
前記撚糸は２本以上の糸が撚られたものである
ことを特徴とする請求項１又は請求項２のガーゼ織物。
【請求項４】
前記撚糸は双糸である
ことを特徴とする請求項１〜請求項３いずれかのガーゼ織物。
【請求項５】
前記無撚糸は３０番手〜８０番手の糸であり、
前記撚糸を構成する糸は６０番手〜１６０番手の糸である
ことを特徴とする請求項１〜請求項４いずれかのガーゼ織物。
【請求項６】
前記ガーゼ織物はＮ（Ｎは３以上の整数）重織物である
ことを特徴とする請求項１〜請求項５いずれかのガーゼ織物。
【請求項７】
前記ガーゼ織物は３重織物である
ことを特徴とする請求項６のガーゼ織物。
【請求項８】
前記ガーゼ織物は縫製用ガーゼ織物である
ことを特徴とする請求項１〜請求項７いずれかのガーゼ織物。
【請求項９】
請求項１〜請求項８いずれかのガーゼ織物で作製されてなる
ことを特徴とする衣類。
【請求項１０】
請求項１〜請求項８いずれかのガーゼ織物で作製されてなる
ことを特徴とする寝具類。
【発明の詳細な説明】
【技術分野】
【０００１】
本発明はガーゼ織物に関する。
【背景技術】
【０００２】
ガーゼ織物は粗く織られた平織物である。例えば、綿糸（４０番手の単糸）が用いられている。ガーゼ織物には、１重織物、２重織物、３重織物などが有る。前記１重ガーゼ織物は、例えば医療用途や布巾に用いられている。前記２重ガーゼ織物は、例えば被服やハンカチ等に用いられている。前記３重ガーゼ織物は、例えばタオルや寝装品に用いられている。
【先行技術文献】
【特許文献】
【０００３】
【特許文献１】特開平１１−３２３６９３
【特許文献２】特開２００４−１０７８２３
【特許文献３】特開２００４−１０７８２４
【特許文献４】特開２００７−３０３００８
【発明の概要】
【発明が解決しようとする課題】
【０００４】
ガーゼは、粗い（糸と糸との間の隙間が大きい）織物である。密に織られた布帛と比べて、ガーゼは肌触りが良い。ガーゼは粗い平織物の為、多重に織り上げられたガーゼでも、厚みが薄い。従って、ガーゼは弾力性や柔らかさが乏しい。組織が粗い為、ガーゼは保温性に乏しい。更に、粗い平織であることから、縫製が難しい。【０００５】
従って、本発明が解決しようとする課題は、肌触りが良く（柔らかく）、かつ、通気性を有し、更には保温性に優れ、しかも縫製可能なガーゼ織物を提供することである。
【課題を解決するための手段】
【０００６】
本発明は、
ガーゼ織物であって、
前記ガーゼ織物は、
表面層ガーゼと、
裏面層ガーゼと、
前記表面層ガーゼと前記裏面層ガーゼとの間に設けられた中間層ガーゼ
とを具備し、
前記表面層ガーゼは、無撚糸で構成され、
前記裏面層ガーゼは、無撚糸で構成され、
前記中間層ガーゼの少なくとも一層は、撚糸で構成されてなり、
前記表面層ガーゼと前記裏面層ガーゼとは、直接的、及び／又は間接的に、結ばれてなる
ことを特徴とするガーゼ織物を提案する。【０００７】
本発明は、前記ガーゼ織物であって、前記表面層ガーゼと前記裏面層ガーゼとは、前記中間層ガーゼの撚糸によって、結ばれてなることを特徴とするガーゼ織物を提案する。【０００８】
本発明は、前記ガーゼ織物であって、前記撚糸は２本以上の糸が撚られたものであることを特徴とするガーゼ織物を提案する。【０００９】
本発明は、前記ガーゼ織物であって、前記撚糸は双糸であることを特徴とするガーゼ織物を提案する。【００１０】
本発明は、前記ガーゼ織物であって、前記無撚糸は３０番手〜８０番手の糸であり、前記撚糸を構成する糸は６０番手〜１６０番手の糸であることを特徴とするガーゼ織物を提案する。【００１１】
本発明は、前記ガーゼ織物であって、前記ガーゼ織物はＮ（Ｎは３以上の整数）重織物であることを特徴とするガーゼ織物を提案する。【００１２】
本発明は、前記ガーゼ織物であって、前記ガーゼ織物は３重織物であることを特徴とするガーゼ織物を提案する。【００１３】
本発明は、前記ガーゼ織物であって、前記ガーゼ織物は縫製用ガーゼ織物であることを特徴とするガーゼ織物を提案する。【００１４】
本発明は、前記ガーゼ織物で作製されてなることを特徴とする衣類を提案する。【００１５】
本発明は、前記ガーゼ織物で作製されてなることを特徴とする寝具類を提案する。
【発明の効果】
【００１６】
表面層ガーゼ及び裏面層ガーゼが無撚糸で構成されたので、本発明のガーゼ織物の肌触りは柔らかい。【００１７】
無撚糸のみで構成されたガーゼ織物は、強度が劣る。しかし、中間層ガーゼが撚糸で構成されたので、強度に富む。強度に富むことから、様々な用途の生地に用いることが出来る。強度に富むことから、本発明のガーゼ織物は、縫製が可能である。すなわち、縫製品の生地としての利用が可能になる。【００１８】
更に、表面層（裏面層）ガーゼの収縮率と中間層ガーゼの収縮率とが異なる。この結果、立体感（厚み感）に富む。厚み感が有るに拘わらず、軽量である。保温性に優れる。
【図面の簡単な説明】
【００１９】
【図１】本発明の実施形態になるガーゼ織物の断面図
【図２】本発明の実施形態になるガーゼ織物の断面図
【発明を実施するための形態】
【００２０】
本発明の実施形態が以下で説明される。第１の本発明はガーゼ織物である。前記ガーゼ織物は各種の分野で用いられる。しかしながら、縫製分野で用いられた場合、大きな特長が奏される。例えば、衣類（ガウン、パジャマ、シャツ等）の生地として用いられる。勿論、服に限られない。例えば、乳幼児用の各種製品の生地として用いられる。例えば、寝具類の生地として用いられる。前記ガーゼ織物はＮ（Ｎは３以上の整数）重織物である。重量やコストの観点から、好ましくは、Ｎ=３，４，５である。特に好ましくは、Ｎ＝３（３重織物）である。前記ガーゼ織物の表面層のガーゼは、無撚糸で構成されている。前記ガーゼ織物の裏面層のガーゼは、無撚糸で構成されている。前記表面層のガーゼと前記裏面層のガーゼとの間に設けられたガーゼ（少なくとも一層のガーゼ）は、撚糸で構成されている。前記表面層ガーゼと前記裏面層ガーゼとは、直接的、及び／又は間接的に、結合されている。例えば、前記表面層ガーゼと前記裏面層ガーゼとは、糸によって、直接的に、結ばれている。或いは、前記表面層ガーゼと前記中間層ガーゼとが、糸（特に、中間層ガーゼを構成する撚糸）によって、直接的に、結ばれ、前記裏面層ガーゼと前記中間層ガーゼとが、糸（特に、中間層ガーゼを構成する撚糸）によって、直接的に、結ばれる。この結果、前記表面層ガーゼと前記裏面層ガーゼとは、前記中間層ガーゼを介して、間接的に、結ばれている。前記撚糸は、好ましくは、２本以上の糸が撚られたものである。前記撚糸は、特に好ましくは、双糸である。前記無撚糸は、好ましくは、３０番手〜８０番手（より好ましくは、４０番
手〜７０番手）の糸である。前記撚糸を構成する１本の糸は、好ましくは、６０番手〜１６０番手（より好ましくは、８０番手〜１４０番手）の糸である。前記撚糸が双糸である場合、前記撚糸は、６０番手〜１６０番手（より好ましくは、８０番手〜１４０番手）の糸と、６０番手〜１６０番手（より好ましくは、８０番手〜１４０番手）の糸とが用いられて、構成される。
【００２１】
前記実施形態のガーゼ織物の肌触りは柔らかい。すなわち、表面層ガーゼ及び裏面層ガーゼは無撚糸で構成されたので、肌触りが柔らかい。無撚糸のみで構成されたガーゼ織物は、強度に劣る。しかし、前記実施形態のガーゼ織物は、中間層ガーゼが撚糸で構成されたので、強度に富む。従って、負荷が掛かっても、ガーゼは破れ難い。縫製が可能になった。更に、表面層ガーゼ（裏面層ガーゼ）が無撚糸で構成され、中間層ガーゼが撚糸で構成されたので、立体感に富む。その理由は、表面層（裏面層）ガーゼの収縮率と、中間層ガーゼの収縮率とが、異なるからである。この収縮率の差から生じる凹凸（立体性）と、撚りが戻ることによって生じた糸の膨らみとによって、生地の厚みが増加する。この結果、保温性に優れている。柔らかである。厚さの割には、軽量である。
【００２２】
第２の本発明は、衣類（ガウン、パジャマ、シャツ等）、又は寝具類（例えば、シーツ、毛布など）である。前記製品は前記ガーゼ織物で作製されてなる。
【００２３】
以下、より具体的な実施形態が挙げられる。但し、本発明は以下の実施形態にのみ限定されない。本発明の特長が大きく損なわれない限り、各種の変形例や応用例も本発明に含まれる。
【００２４】
図１は、本発明の第１実施形態になるガーゼ織物（３重ガーゼ織物）の断面図である。
【００２５】
１，２は、第１層（表面層：上層）のガーゼＧ１を構成する経糸（縦糸）である。Ａ，Ｂは、第１層のガーゼＧ１を構成する緯糸（横糸）である。前記経糸１，２および前記緯糸Ａ，Ｂは、共に、６０番手の無撚糸（単糸）である。
【００２６】
３，４は、第２層（中間層）のガーゼＧ２を構成する経糸である。Ｃ，Ｄは、第２層のガーゼＧ２を構成する緯糸である。前記経糸３，４および前記緯糸Ｃ，Ｄは、共に、双糸である。前記双糸は撚糸（１２０番手の糸が２本用いられて構成）である。
【００２７】
５，６は、第３層（裏面層：下層）のガーゼＧ３を構成する経糸である。Ｅ，Ｆは、第３層のガーゼＧ３を構成する緯糸である。前記経糸５，６および前記緯糸Ｅ，Ｆは、共に、６０番手の無撚糸（単糸）である。
【００２８】
前記ガーゼＧ１，Ｇ２，Ｇ３が積層されたガーゼ織物において、適宜な位置（個所）で、経糸３（又は、経糸４）が緯糸Ｂ（又は、緯糸Ａ）に絡んでいる（図１参照）。すなわち、中間層ガーゼＧ２の撚糸（経糸）３によって、前記第２層のガーゼＧ２と前記第１層のガーゼＧ１とは、連結されている。
【００２９】
前記ガーゼＧ１，Ｇ２，Ｇ３が積層されたガーゼ織物において、適宜な位置（個所）で、経糸４（又は、経糸３）が緯糸Ｆ（又は、緯糸Ｅ）に絡んでいる（図１参照）。すなわち、中間層ガーゼＧ２の撚糸（経糸）４によって、前記第２層のガーゼＧ２と前記第３層のガーゼＧ３とは、連結されている。
【００３０】
本実施形態のガーゼは、経糸（縦糸）によって、組織が結合されている。
【００３１】
前記第１層のガーゼＧ１と前記第２層のガーゼＧ２と前記第３層のガーゼＧ３とは、従来の３重ガーゼ織物と同様な織り方で作製されたものであっても良い。勿論、これに限られない。
【００３２】
従来のＮ（Ｎは２以上の整数）重ガーゼ織物にあっては、各層の経糸は全て同じ糸であった。これに対して、本発明のＮ（Ｎは３以上の整数）重ガーゼ織物にあっては、第１層（表面層）および第Ｎ層（裏面層）のガーゼには無撚糸が用いられ、中間層の少なくとも一層のガーゼには撚糸が用いられた。従って、本発明のＮ（Ｎは３以上の整数）重ガーゼ織物の作製に際しては、少なくとも２種類の糸（無撚糸と撚糸）を供給できる装置が用いられた。
【００３３】
前記経糸１，２，３，４，５，６及び前記緯糸Ａ，Ｂ，Ｃ，Ｄ，Ｅ，Ｆが無撚糸の３重ガーゼ織物（比較例１）が作製された。
【００３４】
前記経糸１，２，３，４，５，６及び前記緯糸Ａ，Ｂ，Ｃ，Ｄ，Ｅ，Ｆが撚糸の３重ガーゼ織物（比較例２）が作製された。
【００３５】
前記経糸１，２，５，６及び前記緯糸Ａ，Ｂ，Ｅ，Ｆが撚糸で、前記経糸３，４及び前記緯糸Ｃ，Ｄが無撚糸の３重ガーゼ織物（比較例３）が作製された。
【００３６】
前記経糸１，２，３，４及び前記緯糸Ａ，Ｂ，Ｃ，Ｄが撚糸で、前記経糸５，６及び前記緯糸Ｅ，Ｆが無撚糸の３重ガーゼ織物（比較例４）が作製された。
【００３７】
前記実施形態の３重ガーゼ織物と、前記比較例１，２，３，４の３重ガーゼ織物とについて、縫製性が比較された。その結果、無撚糸のみの比較例１の３重ガーゼ織物は、縫製具合が悪かった。少しの引張力が作用したのみで、比較例１の３重ガーゼ織物製の服（衣類）は、縫製個所において、裂けてしまった。これに対して、前記実施形態の３重ガーゼ織物は、縫製具合が良かった。すなわち、前記実施形態の３重ガーゼ織物製の服（衣類）は、縫製個所において、裂けることが無かった。比較例２，３，４の３重ガーゼ織物も、縫製具合は良かった。
【００３８】
前記実施形態の３重ガーゼ織物と、前記比較例１，２，３，４の３重ガーゼ織物とについて、肌触り感が比較された。その結果、前記実施形態の３重ガーゼ織物（表面層のガーゼの経糸および緯糸、裏面層のガーゼの経糸および緯糸が、実質、全て、無撚糸）は、肌触り感が優れていた。これに対して、比較例２，３，４の３重ガーゼ織物は、肌触り感が劣っていた。柔らかさも劣っていた。撚糸３，４は、極めて、僅かだけ、表面に露出している（図１参照）。しかし、撚糸３，４の露出割合は、殆ど、０と言っても良い程である。従って、肌触り感は低下しない。
【００３９】
更に、前記実施形態の３重ガーゼ織物は、表面層ガーゼ（裏面層ガーゼ）が無撚糸で構成され、中間層ガーゼが撚糸で構成されたので、立体感に富むものであった。立体感に富むことから、保温性に優れていた。かつ、柔らかであった。しかも、厚い割には、軽量であった。
【００４０】
上記においては、３重ガーゼ織物が説明された。しかし、本発明はＮ（Ｎは４以上の整数）重ガーゼ織物であっても良い。この場合、表面層および裏面層のガーゼが無撚糸で出来ており、中間層の少なくとも一層のガーゼが撚糸で出来た織物である。中間層の全てのガーゼが撚糸で出来ていても良い。中間層が２層以上の場合、少なくとも一層のガーゼが撚糸で出来ておれば良い。しかし、中間層が２層以上のＮ（Ｎは４以上の整数）重ガーゼ織物と、３重ガーゼ織物とを比べた場合、軽量性やコストの点から、３重ガーゼ織物の方が優れていた。
【００４１】
図１は、経糸（縦糸）で組織が結合されたガーゼ織物の断面図である。図２は、緯糸（横糸）で組織が結合されたガーゼ織物の断面図である。図１のガーゼ織物と図２のガーゼ織物とは、結合に経糸が用いられたか、緯糸が用いられたかの相違に過ぎない。その他の点については同じなので、詳細な説明は省略される。前記結合は、経糸と緯糸との双方が用いられても良い。
【００４２】
図１のガーゼ織物では、ガーゼＧ２とガーゼＧ１とが連結され、ガーゼＧ２とガーゼＧ３とが連結された例である。しかし、表面層ガーゼＧ１と裏面層ガーゼＧ３とが、直接、連結され、結果的に、間に挟まれた中間層ガーゼＧ２が間接的に連結された形態であっても良い。
【００４３】
図１，２では、糸の大きさが異なっている。しかし、上記実施形態にあっては、経糸と緯糸との大きさは、実は、同じである。勿論、大きさが異なっていても良い。
【符号の説明】
【００４４】
Ｇ１                第１層（表面層）ガーゼ
Ｇ２                第２層（中間層）ガーゼ
Ｇ３                第３層（裏面層）ガーゼ
１，２，５，６      経糸（無撚糸：単糸）
Ａ，Ｂ，Ｅ，Ｆ      緯糸（無撚糸：単糸）
３，４              経糸（撚糸：双糸）
Ｃ，Ｄ              緯糸（撚糸：双糸）
【要約】
肌触りが良く、縫製可能なガーゼ織物を提供することである。
ガーゼ織物であって、前記ガーゼ織物は表面層ガーゼと裏面層ガーゼと中間層ガーゼとを具備し、前記表面層ガーゼは無撚糸で構成され、前記裏面層ガーゼは無撚糸で構成され、前記中間層ガーゼの少なくとも一層は撚糸で構成されてなり、前記表面層ガーゼと前記裏面層ガーゼとは、直接的、及び／又は間接的に、結ばれてなる。【図１】
0005435607.tif 000002
【図２】
0005435607.tif 000003